(57)【要約】【課題】  外部機器からのコンテンツ取得要求と、その処理要求とを同時に受け付けることで、画像処理装置のネットワーク接続環境の下で、任意のネットワーク接続先からユーザが意図するコンテンツを取得して処理することである。【解決手段】  ＬＡＮ１００６を介して所定のアクセス先に接続可能な複写機１００１において、外部機器から前記ネットワークを介してコンテンツを取得するためのネットワークアクセス情報と、取得されるコンテンツの処理情報とを含む電子メールを受信したら、該受信される電子メールを解析して、前記コンテンツを取得し、該取得される前記コンテンツに対して処理情報に基づいて、所定のデータ処理を行う構成を特徴とする。【選択図】  図１
2006323456.tif 000002
【特許請求の範囲】
【請求項１】
ネットワークを介して所定のアクセス先に接続可能な画像処理装置であって、
外部機器から前記ネットワークを介してコンテンツを取得するためのネットワークアクセス情報と、取得されるコンテンツの処理情報とを含む電子メールを受信する受信手段と、
前記受信手段により受信される電子メールを解析して、前記コンテンツを取得する取得手段と、
前記取得手段に取得される前記コンテンツに対して前記処理情報に基づいて、所定のデータ処理を行う処理手段と、
を有することを特徴とする画像処理装置。
【請求項２】
前記処理手段による前記所定のデータ処理は、前記処理情報に基づいて、前記コンテンツを表示部で表示可能な画像データを生成して表示させるコンテンツ表示処理、前記コンテンツを印刷部が印刷可能な印刷データに展開して記憶手段に登録するコンテンツ登録処理、前記記憶手段に登録されている印刷データを印刷部で印刷するコンテンツ印刷処理を含むことを特徴とする請求項１記載の画像処理装置。
【請求項３】
前記処理情報中のコンテンツの処理情報は、前記コンテンツを印刷部で印刷するための印刷処理情報を含むことを特徴とする請求項１記載の画像処理装置。
【請求項４】
前記印刷処理情報は、前記コンテンツを印刷部で印刷するための印刷出力設定処理情報、前記コンテンツを印刷部で指定時刻に印刷するための印刷時刻設定処理情報、データ登録処理で前記記憶手段に登録されているコンテンツを認証して印刷部で印刷するためのセキュア印刷設定処理情報を含むことを特徴とする請求項１または３記載の画像処理装置。
【請求項５】
前記外部機器は、無線通信可能なリモート情報端末装置、ネットワーク機器を含むことを特徴とする請求項１記載の画像処理装置。
【請求項６】
前記コンテンツを表示部で表示可能な画像データを生成して表示させる場合に、前記表示部に表示される画像データに対して印刷部に設定すべき印刷条件を設定する設定手段を有することを特徴とする請求項２記載の画像処理装置。
【請求項７】
前記コンテンツを印刷部が印刷可能な印刷データに展開して記憶手段に登録する場合に、展開された印刷データを所定の圧縮形式で圧縮処理を行うデータ圧縮手段を有することを特徴とする請求項２記載の画像処理装置。
【請求項８】
前記処理手段は、前記受信手段で受信した電子メールの差出人に応じて異なる処理を行うことを特徴とする請求項１に記載の画像処理装置。
【請求項９】
前記処理手段は、前記受信手段がどのメールアドレスに基づき電子メールを受信したかに応じて異なる処理を行うことを特徴とする請求項１に記載の画像処理装置。
【請求項１０】
さらに、前記処理手段による処理状況を示す電子メールを返信する手段を有することを特徴とする請求項１に記載の画像処理装置。
【請求項１１】
ネットワークを介して所定のアクセス先に接続可能な画像処理装置と外部機器とが通信可能な画像処理システムであって、
前記外部機器は、
ネットワークを介してコンテンツを取得するためのネットワークアクセス情報と、該ネットワークアクセス情報に基づいて取得されるコンテンツの処理情報とを含む電子メールを前記通信回線を介して前記画像処理装置に送信する送信手段を有し、
前記画像処理装置は、
外部機器から前記ネットワークを介してコンテンツを取得するためのネットワークアクセス情報と、取得されるコンテンツの処理情報とを含む電子メールを受信する受信手段と、
前記受信手段により受信される電子メールを解析して、前記コンテンツを取得する取得手段と、
前記取得手段に取得される前記コンテンツに対して前記処理情報に基づいて、所定のデータ処理を行う処理手段とを有することを特徴とする画像処理システム。
【請求項１２】
ネットワークを介して所定のアクセス先に接続可能な画像処理装置におけるデータ処理方法であって、
外部機器から前記ネットワークを介してコンテンツを取得するためのネットワークアクセス情報と、取得されるコンテンツの処理情報とを含む電子メールを受信する受信ステップと、
前記受信ステップにより受信される電子メールを解析して、前記コンテンツを取得する取得ステップと、
前記取得ステップに取得される前記コンテンツに対して前記処理情報に基づいて、所定のデータ処理を行う処理ステップと、
を有することを特徴とするデータ処理方法。
【請求項１３】
前記処理ステップによる前記所定のデータ処理は、前記ネットワーク処理情報に基づいて、前記コンテンツを表示部で表示可能な画像データを生成して表示させるコンテンツ表示処理、前記コンテンツを印刷部が印刷可能な印刷データに展開して記憶手段に登録するコンテンツ登録処理、前記記憶手段に登録されている印刷データを印刷部で印刷するコンテンツ印刷処理を含むことを特徴とする請求項１２記載のデータ処理方法。
【請求項１４】
前記ネットワーク処理情報中のコンテンツの処理情報は、前記コンテンツを印刷部で印刷するための印刷処理情報を含むことを特徴とする請求項１２記載のデータ処理方法。
【請求項１５】
前記印刷処理情報は、前記コンテンツを印刷部で印刷するための印刷出力設定処理情報、前記コンテンツを印刷部で指定時刻に印刷するための印刷時刻設定処理情報、データ登録処理で前記記憶手段に登録されているコンテンツを認証して印刷部で印刷するためのセキュア印刷設定処理情報を含むことを特徴とする請求項１２または１４記載のデータ処理方法。
【請求項１６】
前記外部機器は、無線通信可能なリモート情報端末装置、ネットワーク機器を含むことを特徴とする請求項１３記載のデータ処理方法。
【請求項１７】
前記コンテンツを表示部で表示可能な画像データを生成して表示させる場合に、前記表示部に表示される画像データに対して印刷部に設定すべき印刷条件を設定する設定ステップを有することを特徴とする請求項１３記載のデータ処理方法。
【請求項１８】
前記コンテンツを印刷部が印刷可能な印刷データに展開して記憶手段に登録する場合に、展開された印刷データを所定の圧縮形式で圧縮処理を行うデータ圧縮ステップを有することを特徴とする請求項１３記載のデータ処理方法。
【請求項１９】
前記処理ステップは、前記受信ステップで受信した電子メールの差出人に応じて異なる処理を行うことを特徴とする請求項１２に記載のデータ処理方法。
【請求項２０】
前記処理ステップは、前記受信ステップがどのメールアドレスに基づき電子メールを受信したかに応じて異なる処理を行うことを特徴とする請求項１２に記載のデータ処理方法。
【請求項２１】
さらに、前記処理ステップによる処理状況を示す電子メールを返信するステップを有することを特徴とする請求項１２に記載のデータ処理方法。
【請求項２２】
ネットワークを介して所定のアクセス先に接続可能な画像処理装置と外部機器とが通信可能な画像処理システムにおけるデータ処理方法であって、
前記外部機器は、
ネットワークを介してコンテンツを取得するためのネットワークアクセス情報と、該ネットワークアクセス情報に基づいて取得されるコンテンツの処理情報とを含む電子メールを前記通信回線を介して前記画像処理装置に送信する送信ステップを有し、
前記画像処理装置は、
外部機器から前記ネットワークを介してコンテンツを取得するためのネットワークアクセス情報と、取得されるコンテンツの処理情報とを含む電子メールを受信する受信ステップと、
前記受信ステップにより受信される電子メールを解析して、前記コンテンツを取得する取得ステップと、
前記取得ステップに取得される前記コンテンツに対して前記ネットワーク処理情報に基づいて、所定のデータ処理を行う処理ステップとを有することを特徴とするデータ処理方法。
【請求項２３】
請求項１２〜２２のいずれかに記載のデータ処理方法を実行させるためのプログラムを格納したことを特徴とするコンピュータが読み取り可能な記憶媒体。
【請求項２４】
請求項１２〜２２のいずれかに記載のデータ処理方法を実行させることを特徴とするプログラム。
【発明の詳細な説明】
【技術分野】
【０００１】
本発明は、ネットワークに接続可能な画像処理装置であって、該ネットワーク上の所定の情報を入手して表示する処理を実行可能な画像処理システムおよびそのデータ処理方法およびデータ処理方法を実行させるためのプログラム、および記憶媒体に関係するものである。
【背景技術】
【０００２】
近年、この種の画像処理装置、例えばデジタル複写機をベースにして多数の機能が付加された複合機能装置が実用化されている。すなわち、デジタル複写機に元来備えられているスキャナ、プリンタを使用してファクシミリ通信を行ったり、プリンタを使用して、コンピュータから送られたコードデータをビットマップデータに展開してプリントアウトを行ったり、スキャナを使用して、スキャナから読み込んだ画像をネットワーク上に送信したり、また、プリンタを使用して、ネットワーク上から配信された画像をプリントしたりするといった機能付加が行なわれている。
【０００３】
さらに、プリントに関しては、ユーザがプリントを指示する際に指定したユーザＩＤ／パスワードをパネルから入力した後にはじめて印刷を行うセキュア印刷機能が実現されている。また、新しい機能の１つとしてパーソナルボックス機能がある。
【０００４】
これは、ユーザ個人や部署ごとにデジタル複写機の記憶装置に領域を持ち、そこにプリンタ画像やスキャン画像を入れておいて好きなときに出力する機能である。
【０００５】
近年、複合機能装置の操作パネルは大型化してきており、スキャナ、プリンタを利用した機能の操作設定だけでなく、その操作画面で、ネットワーク上のリモート機器の操作や状態の監視を行うための表示や、組込ブラウザによるＷｅｂコンテンツの表示／印刷が十分可能になっている。
【特許文献１】特開２００２−２００８２７号公報
【発明の開示】
【発明が解決しようとする課題】
【０００６】
しかしながら、前記のような組込ブラウザを持つ複合機能装置をリモートデバイスから利用する仕様を備えておらず、これらのリモートデバイスを利用できない場合があった。
【０００７】
例えば、携帯電話やＰＤＡのような比較的表示画面が小さな装置からのＷｅｂコンテンツの印刷指示や上記パーソナルボックス機能におけるボックス保存指示といったことは容易に行えないため、その改善が切望されている。
【０００８】
また、このような問題は、上記リモート携帯端末装置に留まらず、ネットワークを介して画像処理装置と通信可能なデータ処理装置であっても同様であり、上記特許文献１においては、単に、あらかじめ記憶されたＵＲＬ、Ｗｅｂサイト名やホームページのコンテンツを取得して印刷する場合には、一旦大容量の記憶媒体に記憶しておき、操作パネル等からの印刷要求に基づいて記憶されているコンテンツを印刷することはできても、任意の外部機器、例えばネットワークを介して通信可能なデータ処理装置や、他の通信媒体を介して通信可能なリモート携帯端末装置からの要求で、意図するコンテンツを画像処理装置が主体となって取得させることはできず、その利用には、コンテンツの取得先をあらかじめ登録しなければならず、その操作性や利便性は極めて悪いのが現状である。
【０００９】
本発明は、上記の課題を解決するためになされたもので、本発明の第１の目的は、ネットワークを介して所定のアクセス先に接続可能な画像処理装置において、外部機器から前記ネットワークを介してコンテンツを取得するためのネットワークアクセス情報と、取得されるコンテンツの処理情報とを含む電子メールを受信したら、該受信される電子メールを解析して、前記コンテンツを取得し、該取得される前記コンテンツに対して前記処理情報に基づいて、所定のデータ処理を行うことにより、外部機器からのコンテンツ取得要求と、その処理要求とを同時に受け付けることで、画像処理装置のネットワーク接続環境の下で、任意のネットワーク接続先からユーザが意図するコンテンツを取得して処理できる利便性に優れた画像処理を行える画像処理装置およびデータ処理方法およびコンピュータが読み取り可能なプログラムを格納した記憶媒体およびプログラムを提供することである。
【００１０】
本発明の第２の目的は、ネットワークを介して所定のアクセス先に接続可能な画像処理装置と外部機器とが通信可能な画像処理システムにおいて、前記外部機器よりネットワークを介してコンテンツを取得するためのネットワークアクセス情報と、該ネットワークアクセス情報に基づいて取得されるコンテンツの処理情報とを含む電子メールを前記通信回線を介して前記画像処理装置に送信した後、前記画像処理装置は、外部機器から前記ネットワークを介してコンテンツを取得するためのネットワークアクセス情報と、取得されるコンテンツの処理情報とを含む電子メールを受信し、該受信される電子メールを解析して、前記コンテンツを取得して、該取得される前記コンテンツに対して処理情報に基づいて、所定のデータ処理を行うことにより、外部機器からのコンテンツ取得要求と、その処理要求とを同時に受け付けることで、画像処理装置のネットワーク接続環境の下で、任意のネットワーク接続先からユーザが意図するコンテンツを取得して処理できる利便性に優れた画像処理を行える画像処理装置およびデータ処理方法およびコンピュータが読み取り可能なプログラムを格納した記憶媒体およびプログラムを提供することである。
【課題を解決するための手段】
【００１１】
上記目的を達成する本発明の画像処理装置は以下に示す構成を備える。
【００１２】
ネットワークを介して所定のアクセス先に接続可能な画像処理装置であって、外部機器から前記ネットワークを介してコンテンツを取得するためのネットワークアクセス情報と、取得されるコンテンツの処理情報とを含む電子メールを受信する受信手段と、前記受信手段により受信される電子メールを解析して、前記コンテンツを取得する取得手段と、前記取得手段に取得される前記コンテンツに対して前記処理情報に基づいて、所定のデータ処理を行う処理手段とを有することを特徴とする。
【００１３】
上記目的を達成する本発明のデータ処理方法は以下に示す構成を備える。
【００１４】
ネットワークを介して所定のアクセス先に接続可能な画像処理装置におけるデータ処理方法であって、外部機器から前記ネットワークを介してコンテンツを取得するためのネットワークアクセス情報と、取得されるコンテンツの処理情報とを含む電子メールを受信する受信ステップと、前記受信ステップにより受信される電子メールを解析して、前記コンテンツを取得する取得ステップと、前記取得ステップに取得される前記コンテンツに対して前記処理情報に基づいて、所定のデータ処理を行う処理ステップとを有することを特徴とする。
【００１５】
上記目的を達成する本発明の画像処理システムは以下に示す構成を備える。
【００１６】
ネットワークを介して所定のアクセス先に接続可能な画像処理装置と外部機器とが通信可能な画像処理システムであって、前記外部機器は、ネットワークを介してコンテンツを取得するためのネットワークアクセス情報と、該ネットワークアクセス情報に基づいて取得されるコンテンツの処理情報とを含む電子メールを前記通信回線を介して前記画像処理装置に送信する送信手段を有し、前記画像処理装置は、外部機器から前記ネットワークを介してコンテンツを取得するためのネットワークアクセス情報と、取得されるコンテンツの処理情報とを含む電子メールを受信する受信手段と、前記受信手段により受信される電子メールを解析して、前記コンテンツを取得する取得手段と、前記取得手段に取得される前記コンテンツに対して前記処理情報に基づいて、所定のデータ処理を行う処理手段とを有することを特徴とする。
【００１７】
また、上記目的を達成する本発明のデータ処理方法は以下に示す構成を備える。
【００１８】
ネットワークを介して所定のアクセス先に接続可能な画像処理装置と外部機器とが通信可能な画像処理システムにおけるデータ処理方法であって、前記外部機器は、ネットワークを介してコンテンツを取得するためのネットワークアクセス情報と、該ネットワークアクセス情報に基づいて取得されるコンテンツの処理情報とを含む電子メールを前記通信回線を介して前記画像処理装置に送信する送信ステップを有し、前記画像処理装置は、外部機器から前記ネットワークを介してコンテンツを取得するためのネットワークアクセス情報と、取得されるコンテンツの処理情報とを含む電子メールを受信する受信ステップと、前記受信ステップにより受信される電子メールを解析して、前記コンテンツを取得する取得ステップと、前記取得ステップに取得される前記コンテンツに対して前記ネットワーク処理情報に基づいて、所定のデータ処理を行う処理ステップとを有することを特徴とする。
【発明の効果】
【００１９】
本発明に係る画像処理装置によれば、外部機器からのコンテンツ取得要求と、その処理要求とを同時に電子メールで受け付けることで、画像処理装置のネットワーク接続環境の下で、任意のネットワーク接続先からユーザが意図するコンテンツを取得して処理できる利便性に優れた画像処理を行える。
【００２０】
さらに、本発明に係る画像処理システムによれば、外部機器からのコンテンツ取得要求と、その処理要求とを同時に電子メールで受け付けることで、画像処理装置のネットワーク接続環境の下で、任意のネットワーク接続先からユーザが意図するコンテンツを取得して処理できる利便性に優れた画像処理を行える等の効果を奏する。
【発明を実施するための最良の形態】
【００２１】
次に本発明を実施するための最良の形態について図面を参照して説明する。
【００２２】
＜システム構成の説明＞
〔第１実施形態〕
図１は、本発明の第１実施形態を示す画像処理装置を適用可能なネットワークシステムの一例を説明する図であり、本実施形態では、画像処理装置の例として複合機能装置としてデータ送信機能を有する複写機を利用する場合について示すが、画像処理装置は、ネットワーク接続可能であって、インターネット環境に接続してコンテンツや種々の情報を取得して印刷あるいは、記憶、あるいは表示するようなシステムであれば、複写機に限らず、種々のネット機器が適用可能であることはいうまでもない。また、複写機１００１は、ネットワークの外部機器としてのクライアントコンピュータ、携帯端末装置（ＰＤＡ、携帯電話）等と所定の通信媒体を介して相互に通信可能に構成され、さらに、電子メールのやり取りを行えるようにＳＭＴＰ、ＰＯＰ３等所定のプロトコルによる通信機能を備えている。
【００２３】
図１において、複写機１００１は、複写機１００１と同等の機能を持つ複写機１００２、ファクシミリ装置１００３、データベース／メールサーバ１００４、クライアントコンピュータ１００５とともに、イーサネット（登録商標）（商品名）などからなるＬＡＮ１００６に収容されている。
【００２４】
また、ファクシミリ１００７とともに公衆回線１００８に収容されている。複写機１００１は、コピー機能、ファクシミリ機能を有するとともに、原稿画像を読み取り、該読み取った画像データをＬＡＮ１００６上の各装置に送信するデータ送信機能を有する。
【００２５】
また、複写機１００１はＰＤＬ機能を有するので、ＬＡＮ１００６上に接続されているクライアントコンピュータ１００５から指示されたＰＤＬ画像を受信して印刷することが可能である。
【００２６】
さらに、複写機１００１は、複写機１００１のスキャナ機能で読み取った画像データや、ＬＡＮ１００６上に接続されているクライアントコンピュータ１００５から指示されたＰＤＬ画像を、複写機１００１に備える図２に示すハードディスク２００４の指定したボックス領域に保存することが可能であり、ボックス領域に保存された画像データを種々の機能とともに印刷することが可能になっている。
【００２７】
複写機１００１は、ＬＡＮ１００６を介して複写機１００２が読み取ったデータを受信し、受信したデータを複写機１００１内のハードディスク２００４に保存／印刷出力することが可能である。また、クライアントコンピュータ１００５とＬＡＮ１００６を介してデータベースサーバー１００４の画像を受信し、複写機１００１内に保存／印刷出力することが可能である。
【００２８】
ファクシミリ１００３は、ＬＡＮ１００６を介して複写機１００１が読み取ったデータを受信し、該受信したデータを送信することが可能である。
【００２９】
データベース／メールサーバ／１００４は、ＬＡＮ１００６を介して複写機１００１が読み取ったデータを受信し、データベースに格納し、電子メールとして送信する機能を有するサーバ装置である。
【００３０】
クライアントコンピュータ１００５は、データベース／メールサーバ１００４に接続され、データベース／メールサーバ１００４から所望のデータ取得して表示することが可能であるとともに、ＬＡＮ１００６を介して複写機１００１が読み取ったデータを受信し、受信したデータを加工、編集することが可能である。ファクシミリ１００７は、公衆回線１００８を介して複写機１００１が読み取ったデータを受信し、受信したデータを印刷出力することが可能である。
【００３１】
１００９はＰＤＡ（Personal Digital Assistance ）で、通信機能と、データ処理機能（電子メール機能、ｗｅｂ閲覧機能等を含む）とを合わせ持つ携帯可能な携帯ツール（携帯情報端末）として機能する。ＰＤＡ１００９は液晶表示装置や外部との接続端子を搭載し、電池や専用バッテリーで駆動する。１０１０は携帯電話で、電話としての機能と、電子メール機能、ｗｅｂ閲覧機能等を備えて、静止画ばかりでなく、動画等も相手の機器に転送可能に構成されている。
【００３２】
また、ＰＤＡ１００９は、画面表示されるアイコン等に対する指示に基づいて、内部に備えるコントローラがＲＯＭ等に記憶される各種の制御プログラムを実行することで、データ処理ステップ、電子メール送信ステップ、電子メール受信ステップ等を実行可能に構成されている。携帯電話１０１０についても、操作ボタン等に対する指示に基づいて、内部に備えるコントローラがＲＯＭ等に記憶される各種の制御プログラムを実行することで、データ処理ステップ、電子メール送信ステップ、電子メール受信ステップ等を実行可能に構成されている。なお、携帯電話１０１０等が利用するＷＥＢ機能は、サービスプロバイダにより、その機能設定や操作方法が異なる場合がある。ただし、電子メール送受信機能については、それぞれのプロバイダ間で何等支障なく電子メールをやり取り可能なシステム環境にあるものとする。
【００３３】
さらに、電子メールの送信ステップは、図１０に示したステップ７０１が開始される前に、ユーザにより既に実行されているものとする。
【００３４】
本実施形態では、ＰＤＡ１００９や携帯電話１０１０より、複写機１００１や１００２に対して電子メールに、後述するＵＲＬと印刷設定指示、あるいはＵＲＬと画像処理機能に対する指示等を含めて送信することで、携帯情報端末から複写機１００１、１００２に対する操作指示であって、インターネット等のｗｅｂ環境からコンテンツを取得して、印刷装置で印刷する指示を合わせたリモート操作部として機能させることができ、複写機１００１、１００２とのローカル操作に代えて、携帯情報端末を利用した種々の印刷処理設定を自在に行うことができる。以下、各実施形態毎に本発明の特徴的構成について詳述する。
【００３５】
図２は、図１に示した複写機１００１の構成を説明するブロック図である。
【００３６】
図２において、コントローラユニット２０００は、画像入力デバイスであるスキャナ２０７０や画像出力デバイスであるプリンタ２０９５をデバイスＩ／Ｆ２０２０を介して接続し、スキャナ２０７０で読み取られた画像データをプリンタ２０９５により印刷出力するコピー機能を実現するための制御を行うとともに、ＬＡＮ１００６や公衆回線１００７（ＷＡＮ）に接続することによって、画像情報やデバイス情報の入出力を行うための制御を行う。
【００３７】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上でＨＤＤ（ハードディスクドライブ）２００４に格納されているアプリケーションプログラムを実行することによって各種処理を実行する。
【００３８】
このＣＰＵ２００１の作業領域としてはＲＡＭ２００２が用いられる。ＲＡＭ２００２は、作業領域とともに、画像データを一時記憶するための画像メモリ領域を提供する。ＨＤＤ２００４は、上記アプリケーションプログラムとともに、画像データを格納する。
【００３９】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージインタフェース）２００５が接続されている。
【００４０】
操作部Ｉ／Ｆ２００６は、タッチパネルを有する操作部２０１２とのインタフェースであり、操作部２０１２に表示する画像データを操作部２０１２に対して出力する。また、操作部Ｉ／Ｆ２００６は、操作部２０１２においてユーザにより入力された情報をＣＰＵ２００１に送出する。
【００４１】
次に、ネットワークＩ／Ｆ２０１０は、ＬＡＮ１００６に接続され、ＬＡＮ１００６を介してＬＡＮ１００６上の各装置との間で情報の入出力を行う。モデム２０５０は、公衆回線１００７に接続され、公衆回線１００７を介して情報の入出力を行う。
【００４２】
イメージバスＩ／Ｆ２００５は、システムバス２００７と画像データを高速で転送する画像バス２００８を接続し、データ構造を変換するためのバスブリッジである。画像バス２００８は、ＰＣＩバスまたはＩＥＥＥ１３９４から構成される。画像バス２００８上には、ラスタイメージプロセッサ（以下、ＲＩＰという）２０６０、デバイスＩ／Ｆ２０２０、スキャナ画像処理部２０８０、プリンタ画像処理部２０９０、画像回転部２０３０、サムネイル作成部２０３５および画像圧縮部２０４０が設けられている。
【００４３】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。
【００４４】
スキャナ画像処理部２０８０は、入力画像データに対し補正、加工、編集を行う。プリンタ画像処理部２０９０は、プリント出力画像データに対してプリンタの補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００４５】
図３は、図１に示した複写機１００１のリーダ部２０７０およびプリンタ部２０９５のハードウェア構成を示す図である。
【００４６】
図３において、リーダ部２０７０とプリンタ部２０９５とは、図３に示すように、一体的に構成されている。リーダ部２０７０は、原稿給紙ユニット２５０を搭載し、原稿給紙ユニット２５０は、原稿を先頭から順に１枚ずつプラテンガラス２１１上へ給送し、各原稿の読取動作が終了する毎にその原稿をプラテンガラス２１１から排出トレイ（図示せず）に排出する。
【００４７】
リーダ部２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、ＣＣＤという）２１８に導かれ、原稿上の画像がＣＣＤ２１８の撮像面上に結像される。ＣＣＤ２１８は、撮像面に結像された画像を電気信号に変換し、この電気信号は所定の処理施された後に制御装置１１０に入力される。
【００４８】
プリンタ部２０９５は、レーザドライバ３２１を有し、レーザドライバ３２１は、制御装置１１０から入力された画像データに基づきレーザ発光部３２２を駆動する。
【００４９】
これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００５０】
トナー像が転写された記録紙は搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００５１】
次に、操作部２０１２の構成を図４に示す。
【００５２】
図４は、図２に示した操作部２０１２の構成を説明する平面図である。
【００５３】
図４において、ＬＣＤ表示部２０１３は、ＬＣＤ上にタッチパネルシートが貼られており、システムの操作画面を表示するとともに、表示してあるキーが押されるとその位置情報をコントローラＣＰＵ２００１に伝える。スタートキー２０１４は原稿画像の読み取り動作を開始する時などに用いる。
【００５４】
スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。
【００５５】
図５、図６は、図４に示した操作部２０１２のＬＣＤ表示部２０１３に表示される操作画面を示す図であり、図５は標準画面９−１を示し、図６はブラウザ起動画面を示す。
【００５６】
図５において、操作部２０１２の上部には、コピー９０１、送信／ＦＡＸ９０２、ボックス９０３、ブラウザ９０４のように複数の機能毎にタブ表示されたタッチキーが表示されている。
【００５７】
コントローラユニット２０００のＨＤＤ２００４にはＷｅｂブラウザ表示のためのプログラムが組み込まれおり、操作部２０１２上からの指示により、図６に示すＷｅｂブラウザ表示をすることが可能になっている。
【００５８】
なお、５つ以上の機能がコントローラ２０００に装備されている場合は、コピー、送信／ＦＡＸ、ボックス、ブラウザの４つ機能タブの右横に右矢印キー９０５が表示される。
【００５９】
図５はコピー９０１のタッチキーが押下されたときのコピー機能の初期画面を表している。コピー機能に関する表示は囲った部分９０６であり、図の上から、「コピーできます」の表示している領域には、コピー機能で表示するステータスを表示し、その下には、倍率、選択給紙段、置数を表示する領域がある。
【００６０】
また、コピー機能の動作モードを設定するためのタッチキーとして、等倍、倍率、用紙選択、ソータ、両面、割込み、文字、濃度調整用として薄くするに対応する左矢印キー、濃くするに対応する右矢印キー、濃度を自動調整する自動キーが表示され、初期画面に表示しきれない動作モードの指定は応用モードキーを押下することで階層的に領域９０６内に設定画面が表示されるようになっている。
【００６１】
表示領域９０７は、複写機９０１のステータスを表示する領域であり、例えば、ジャムなどのアラームメッセージや、ＰＤＬプリントが行われているときにＰＤＬプリント中であることを示すステータスメッセージを表示する領域である。
【００６２】
システム状況／中止９０８タッチキーを押下すると、複写機９０１のデバイス情報を表示する画面や、プリントジョブ状況を表示する画面を表示し（図示せず）、この画面ではジョブの中止を行うことが可能になっている。
【００６３】
送信／ＦＡＸ９０２キーを押下すると、複写機９０１で読み取った画像をＬＡＮ９０６上の機器にＥ−ｍａｉｌ送信、ＦＴＰ送信する、またはＦＡＸにより公衆回線１００７を使って送信するための設定画面を表示する（図示せず）。
【００６４】
また、ボックス９０３キーを押下すると、複写機９０１上で読み取った画像をハードディスク２００４内のボックス領域に保存したり、ボックス領域に保存されている画像データを指定して印刷したり、ＬＡＮ１００６上の機器に送信するための設定画面を表示する（図示せず）。
【００６５】
さらに、ブラウザ９０４キーを押下すると、図６に示すブラウザ起動画面が開く。
【００６６】
図６において、ＵＲＬ入力部９１１はＵＲＬを指定してページを開くときにこのフィールドを押下する。押下することで、ソフトキーボードが表示され、ユーザがＵＲＬを指定できるよう管理者の権限で設定を行うこともできる。お気に入りキー９１２は、ＵＲＬを登録、整理、表示を行うことができる。９１３の表示領域はコンテンツの表示領域である。
【００６７】
戻るキー９１４はページを１つ前に戻すキーである。進むキー９１５はページを１つ進めるキーである。更新キー９１６は現在表示しているページを再度ロードして表示するキーである。中止キー９１７はページの読み込みを中止するキーである。ホームキー９１８は設定されているホームページに移動するキーである。
【００６８】
印刷キー９１９は現在表示しているページを印刷するキーである。このボタンを押下すると、図示しない印刷設定ダイアログが表示され、印刷設定ダイアログには、フレームをどのように印刷するかの設定、印刷に関する設定（部数、両面、ソートなど）の画面が表示され、この画面内の印刷スタートボタンを押下することで印刷を開始する。メニューキー９２０は画面の表示倍率の変更、文字サイズの変更、文字コードの変更などの画面を表示するキーである。
【００６９】
図７は、図２に示したＨＤＤ２００４の論理的な使用方法を示す図である。
【００７０】
図７において、本実施形態においては使用用途に応じてハードディスクの記憶領域のうちユーザが使用できないフォーム領域１００８およびフォントベクタ領域１００９以外の部分をテンポラリ領域１００１とボックス領域１００２に論理的に分ける。
【００７１】
なお、テンポラリ領域１００１は、画像データの出力順序を変えたり、複数部出力においても一回のスキャンで出力ができるようにするために、ＰＤＬの展開データやスキャナからの画像データを一時的に記憶する記憶領域である。さらに、セキュア印刷ジョブを格納するためにも使用される。
【００７２】
また、ボックス領域１００２はボックス機能を使用するための記憶領域であり、１００３〜１００７のように登録された数の小さな記憶領域に分割されている。ボックス１００３〜１００７は、各ユーザや会社などの部署毎に割り当てることができ、各ボックスにはボックス名とパスワードを付けることができる。ユーザはボックスを指定することでＰＤＬジョブやスキャンジョブを各ボックス入力することができ、パスワードを入力することで実際にボックスの中を見たり、設定変更やプリント出力を行う。
【００７３】
図８は、図２に示したＣＰＵ２００１で実行されるアプリケーションソフトウェアの構成を説明する図であり、本実施形態に関わる部分を抽出したソフトウエア構成例である。
【００７４】
図８において、電子メール受信部５０１は後述のように自分宛の電子メールを受信し、その中身を解析して解析結果に応じたさまざまな処理を行う。なお、電子メール受信部５０１が動作するために必要な各種設定値、例えば電子メールサーバのアドレスや受信間隔などの情報はあらかじめ管理者により設定され、ＨＤＤ２００４に保存されている。ウエブブラウザ部５０２はこれまで説明したようなユーザから入力されたＵＲＬにあるコンテンツを表示する機能の他、電子メール受信部５０１と後述する通信を行う機能を持つ。
【００７５】
ユーザは、クライアントコンピュータ１００５や電子メール機能を持つ携帯電話などのコンピュータ端末（図示せず）などから、図９のような印刷指示メールを機器に対して送信し、このメールは電子メールサーバ１００４に保存される。
【００７６】
図９は、図１に示したに示したクライアントコンピュータ１００５から複写機１００１に送信される電子メールの一例を示す図であり、例えば印刷指示メールであり、印刷すべきコンテンツの取得先としてのＵＲＬが設定された例である。
【００７７】
図９において、要求者が「ｕｓｅｒ１＠ｘｘｘ．ｃｏ．ｊｐ」であり、印刷先が「ｐｒｉｎｔｅｒ１＠ｘｘｘ．ｃｏ．ｊｐ」である例である。
【００７８】
以下、図１０に示すフローチャートを参照して、図８に示した電子メール受信部５０１の機能処理について説明する。
【００７９】
図１０は、本発明に係る画像処理装置における第１のデータ処理手順の一例を示すフローチャートであり、例えば電子メール受信部５０１のデータ処理手順に対応する。なお、Ｓ７０１〜Ｓ７０８は各ステップを示す。
【００８０】
まず、起動するとステップＳ７０１において、複写機１００１のネットワークインタフェース２０１０はＬＡＮ１００６を介して図１に示した電子メールサーバ１００４に接続し、ステップＳ７０２において、自分宛のメールがあるかどうかを確認して、自分宛のメールがなかったと判断した場合は、ステップＳ７０７に進み一定時間待った後、ステップＳ７０１に戻る。
【００８１】
一方、ステップＳ７０２で、自分宛のメールがあったと判断した場合は、ステップＳ７０３においてメールを受信（取得）する。次に、ステップＳ７０４において、図９に示したデータ形式のように、受信したメールが印刷指示メールであるかどうかを判定する。
【００８２】
なお、本実施形態において、ステップＳ７０４における判定方法としては、例えばＳｕｂｊｅｃｔヘッダ６０１があらかじめ設定された文字列であること（図６の例においては「Ｗｅｂ  Ｐａｇｅ  Ｐｒｉｎｔ」）により行う。
【００８３】
ただし、その他にもこれら情報をメール本文に埋め込むなどさまざまな判定方法が考えられ、上記方法に限定するものではない。
【００８４】
そして、ステップＳ７０４で、受信したメールが印刷指示メールであったと判断した場合は、ステップＳ７０５に進み、メール本文に含まれるＵＲＬ情報を所定のデータ処理で抽出し、その後、ステップＳ７０６において、ＵＲＬ情報をウエブブラウザ部５０２に通知する。
【００８５】
ここでＵＲＬ情報とは、メールに記述されたＵＲＬ６０２であるが、指定形式はいわゆるｗｗｗ形式の場合に代えて、ＩＰアドレスを直接指定するものであってもよい。
【００８６】
次に、ステップステップ７０７において、一定時間待った後、ステップＳ７０１に戻る。
【００８７】
一方、ステップＳ７０４の判定の結果受信したメールが印刷指示メールでなかったと判断した場合は、ステップＳ７０８に進み、その他処理を行った後、ステップＳ７０７に進む。なお、ステップＳ７０８におけるその他処理の例としてはメール本文の印刷処理などがあるが、本発明とは関係がないため詳細は省略する。以下、電子メール受信部５０１から通知を受信した際のウエブブラウザ部５０２の動作を図１１のフローチャートを参照して説明する。
【００８８】
図１１は、本発明に係る画像処理装置における第２のデータ処理手順の一例を示すフローチャートであり、例えば図８に示したウエブブラウザ部５０２のデータ処理手順（電子メール受信部５０１から通知を受信した際のウエブブラウザ部５０２の処理手順）に対応する。なお、Ｓ８０１〜Ｓ８１０は各ステップを示す。
【００８９】
先ず、ステップＳ８０１において、電子メール受信部５０１から通知を受信すると、ステップＳ８０２において通知されたＵＲＬのコンテンツを所定のプロトコルで通信することで取得し、ステップＳ８０３において、取得したコンテンツを図６に示したブラウザ起動画面内の画面９１３に表示を行う。なお、取得するコンテンツは、静止画的なものに限定されることはなく、動画データであってもよく、その後の電子スチル化処理等により印刷可能なデータに加工可能であれば何等問題はない。また、ＰＤＦファイル等であってもよい。
【００９０】
その後、ステップＳ８０４において、取得したコンテンツデータをレンダリングエンジンで解析して印刷可能なビットマップデータに展開し、ステップＳ８０５において、ＨＤＤ２００４のテンポラリ領域１００１に保存する。
【００９１】
次に、ステップＳ８０６において、図１２のようなダイアログをＬＣＤ表示部２０１３上に表示し、コンテンツを印刷するかどうかをユーザに入力させる。
【００９２】
図１２は、図４に示した操作部２０１２のＬＣＤ表示部２０１３に表示されるダイアログの一例を示す図であり、例えばユーザにＷｅｂページの印刷実行を確認するためのダイアログ例である。
【００９３】
そして、ステップＳ８０７において、すなわち、図１２に示す画面表示で、ユーザがＹｅｓボタンＢ１を選択したと判断した場合は、ステップＳ８０８に進み、図１３に示すような画面形式（本実施形態では、図５に示す表示画面に準じた画面形式）で印刷条件を入力させた後、ステップＳ８０９で印刷を実行し、ステップＳ８１０でＨＤＤ２００４に保存したビットマップデータを削除して、本処理を終了する。
【００９４】
図１３は、図４に示した操作部２０１２のＬＣＤ表示部２０１３に表示されるプリント設定画面の一例を示す図であり、例えばユーザにＷｅｂページの印刷実行を設定する為の画面例であり、本実施形態では、用紙サイズ、両面プリント、部数、印刷取消、印刷実行等のボタンが配置される例であるが、設定画面は、これに限らず、他の設定要素、複写機１００１のエンジンにオプション接続される機能を含めて設定できるように、設定可能な項目を増やしてもよい。例えば丁合印刷設定、レイアウト印刷設定（ｎｉｎ１）、カラー・モノクロ設定等である。
【００９５】
一方、ステップＳ８０７において、ユーザがＮｏボタンＢ２を選択した場合はステップＳ８１０に進み、展開したビットマップデータを削除する。
【００９６】
これにより、携帯ツールからの電子メール指示に基づき、複写機１００１のネットワーク環境を利用して指定されたＵＲＬに接続して所望のコンテンツを取得して印刷することができ、何等携帯ツールの構成を変更することなく、かつ、複写機１００１側において、あらたなインタフェース手段を常設することもなく、自在にコンテンツの取得指示と、印刷指示とを行えるため、ユーザの利便性がさらに向上する。
【００９７】
〔第２実施形態〕
上記第１実施形態では、携帯ツールから、電子メールを利用して、ＵＲＬと印刷指示を行う際に、複写機１００１の操作部２０１２より印刷条件を図１３に示した設定画面を介して設定する場合について説明したが、携帯ツールより複写機１００１に送信する電子メールに、図９に示したコンテンツ取得先のみならず、印刷設定を付加した電子メールを送信することで、第１実施形態における複写機１００１側における印刷設定負担を軽減（ユーザは印刷指示メールにＵＲＬに加えて印刷条件まで記述することにより、機器のパネルでの操作を削減）することで、ユーザの利便性を向上させる構成としてもよい。以下その実施形態について説明する。なお、ネットワーク構成、システム構成、ハードウェア構成、ソフトウエア構成は、第１実施形態と同様である。
【００９８】
図１４は、本発明の第２実施形態を示す携帯装置から設定可能な印刷指示メールの一例を示す図であり、図９と同一のものには同一の符号を付してある。
【００９９】
本実施形態においては、ユーザは、図１４のような印刷指示メールを複写機１００１に対して送信する。
【０１００】
図１４において、本実施形態では、電子メールが第１実施形態において示したコンテンツのＵＲＬ１３０１に加え、印刷条件１３０２を記述可能としている。
【０１０１】
なお、印刷条件１３０２は、コピー数、両面、媒体等を設定可能とする場合を示すが、設定可能な項目は、これらに限定されるものではない。
【０１０２】
また、データ処理手順は、第１実施形態に示した電子メール受信部５０１が実行する図１０と同一であるが、本実施形態では、ステップＳ７０５において、ＵＲＬ情報としてメール本文からＵＲＬおよび印刷条件を抽出し、ステップ７０６においてウエブブラウザ部５０２に通知する。なお、印刷条件を抽出した場合に、複写機１００１で設定できないものが設定されていた場合には、設定可能なもので印刷を続行するか、電子メールにて、要求元の携帯端末に問い合わせメールを送信して、その返信メールから再設定するように構成してもよい。
【０１０３】
また、ウエブブラウザ部５０２の動作としては、印刷条件１３０２も電子メール受信部から通知されているため、図１１に示したフローチャートの中でステップＳ８０８は不要となり、電子メール受信部５０１から通知された印刷条件で印刷を行う点が上記第１実施形態との相違点である。
【０１０４】
また、これに代え、電子メールによって印刷設定を行ったり、コンテンツ取得後に複写機１００１で印刷設定を行うのではなく、予め複写機１００１でデフォルト設定として設定してある印刷設定に従って印刷を自動で実行するようにしてもよい。この場合はステップＳ８０６〜８０８の処理はスキップされる。
【０１０５】
これにより、ユーザは電子メール送信後、複写機１００１で印刷設定する操作が不要となり、利便性が向上する。
【０１０６】
〔第３実施形態〕
上記第１実施形態では、電子メールで指定したＵＲＬから取得するコンテンツを指定した印刷設定で印刷する場合について説明したが、コンテンツの印刷処理には、ユーザが電子メールで指定したコンテンツを取得した場合に、印刷開始時刻を指定可能として、ユーザの指定時刻印刷要求を満たせるように構成してもよい。以下、その実施形態について説明する。
【０１０７】
図１５は、本発明の第３実施形態を示す携帯装置から設定可能な印刷指示メールの一例を示す図であり、図９と同一のものには同一の符号を付してある。
【０１０８】
本実施形態においては、ユーザは印刷指示メールにＵＲＬに加えて時刻情報を記述することにより、指定した時刻において印刷を開始させるものである。なお、ネットワーク構成、システム構成、ハードウェア構成、ソフトウエア構成は、第１実施形態と同様である。
【０１０９】
図１５において、ユーザは、印刷指示メールを機器に対して送信する。本実施形態においては、コンテンツのＵＲＬ１４０１に加え時刻情報１４０２を記述可能としている。電子メール受信部５０１のフローチャートは、図１０と同一であるが、ステップＳ７０５においてはＵＲＬ情報としてメール本文からＵＲＬおよび時刻情報を抽出し、ステップＳ７０６においてウエブブラウザ部５０２に通知する。
【０１１０】
一方、ウエブブラウザ部５０２の動作としては、図１１に示すフローチャートのステップＳ８０１において電子メール受信部５０１から通知を受信すると、通知された時刻まで待った後、ステップ８０２以降の処理を行う。
【０１１１】
これにより、印刷指示メールにユーザが意図する印刷開始時刻を設定するという簡単な構成で、コンテンツの取得を設定した印刷開始時刻に印刷を行え、複写機１００１に指摘時刻印刷機能がなくても、指定された時刻に取得したコンテンツを自動的に印刷することができる。
【０１１２】
〔第４実施形態〕
上記第１実施形態では、携帯ツールから、電子メールを利用して、ＵＲＬと印刷指示とを行うことで、複写機１００１のｗｅｂプリント機能をそのまま実行させる例としたが、取得するコンテンツを印刷することなく、ハードディスク２００４に確保されているボックス領域のいずれかに格納するシステムとしてもよい。以下その実施形態について説明する。なお、ネットワーク構成、システム構成、ハードウェア構成、ソフトウエア構成は、第１実施形態と同様である。
【０１１３】
図１６は、本発明の第４実施形態を示す携帯装置から設定可能な印刷指示メールの一例を示す図であり、図９と同一のものには同一の符号を付してある。
【０１１４】
図１６において、ユーザはボックス指示メールを複写機１００１に対して送信する。本実施形態においては、メールのＳｕｂｊｅｃｔ６０１を「Ｗｅｂ  Ｐａｇｅ  Ｂｏｘ」とすることにより、電子メール受信部５０１は受信したメールをボックス指示メールであると判定する。
【０１１５】
また、ボックス指示メールにはコンテンツのＵＲＬ１５０１に加え、図７に示したＨＤＤ２００４に確保されるボックス領域に対するボックスＩＤ１５０２、パスワード１５０３を記述可能としている。
【０１１６】
電子メール受信部５０１のフローチャートは、図１０とほぼ同一であるが、ステップＳ７０４においては前述のように、受信したメールがボックス指示メールであるかどうかを判定する。また、ステップＳ７０５においてはＵＲＬ情報としてメール本文からＵＲＬおよびボックスＩＤ／パスワードを抽出し、ステップＳ７０６においてウエブブラウザ部５０２に通知する。ウエブブラウザ部５０２の動作は、図１７のフローチャートを使用して説明する。
【０１１７】
図１７は、本発明に係る画像処理装置における第２のデータ処理手順の一例を示すフローチャートであり、例えば図８に示したウエブブラウザ部５０２のデータ処理手順（電子メール受信部５０１から通知を受信した際のウエブブラウザ部５０２の処理手順）に対応する。なお、Ｓ１６０１〜Ｓ１６０６は各ステップを示す。
【０１１８】
先ず、ステップＳ１６０１において、電子メール受信部５０１から通知を受信すると、ステップＳ１６０２において、通知されたＵＲＬのコンテンツを取得し、ステップＳ１６０３においてコンテンツの表示を行う。
【０１１９】
その後、ステップＳ１６０４において、取得したコンテンツデータをレンダリングエンジンで解析して印刷可能なビットマップデータに展開して画像メモリに書き込む。その後、ステップＳ１６０５において、画像圧縮部２０４０でＪｐｅｇ圧縮を行い、ステップ１６０６において、圧縮された画像データを図１６に示したボックス指示メールのボックスＩＤ１５０２で指定されるボックス１００３〜１００７のいずれかのボックスに格納して、本処理を終了する。
【０１２０】
これにより、携帯機器から電子メールとしてボックス指示メールを送信するという簡単な構成で、取得するコンテンツを印刷することなく、ハードディスク２００４に確保されているボックス領域のいずれかに格納させることができる。
【０１２１】
〔第５実施形態〕
上記第１実施形態では、携帯ツールから、電子メールを利用して、ＵＲＬと印刷指示とを行うことで、複写機１００１のｗｅｂプリント機能をそのまま実行させ、何等セキュリティを考慮しないフリーなシステムを例としたが、当然、取得したコンテンツの印刷処理に対して、セキュア印刷機能を有効としたシステムとしてもよい。以下その実施形態について説明する。なお、ネットワーク構成、システム構成、ハードウェア構成、ソフトウエア構成は、第１実施形態と同様である。
【０１２２】
図１８は、本発明の第５実施形態を示す携帯装置から設定可能な印刷指示メールの一例を示す図であり、図９と同一のものには同一の符号を付してある。
【０１２３】
図１８において、ユーザはセキュア印刷指示メールを複写機１００１に対して送信する。本実施形態においては、メールのＳｕｂｊｅｃｔ６０１を「Ｗｅｂ  Ｐａｇｅ  Ｓｅｃｕｒｅ  Ｐｒｉｎｔ」とすることにより、電子メール受信部５０１は受信したメールをセキュア印刷指示メールであると判定する。また、セキュア印刷指示メールにはコンテンツのＵＲＬ１７０１に加え、ユーザＩＤ１７０２、パスワード１７０３を記述可能としている。
【０１２４】
電子メール受信部５０１のフローチャートは、図１０とほぼ同一であるが、ステップＳ７０４においては前述のように、受信したメールがセキュア印刷指示メールであるかどうかを判定する。また、ステップＳ７０５においては、ＵＲＬ情報としてメール本文からＵＲＬおよびユーザＩＤ／パスワードを抽出し、ステップＳ７０６において、ウエブブラウザ部５０２に通知する。
【０１２５】
ウエブブラウザ部５０２の動作としては、図１１のフローチャートのステップＳ８０９において印刷を実行する前に、図１９に示すようなダイアログを操作部２０１２のＬＣＤ表示部２０１３に表示し、ユーザが正しいユーザＩＤ／パスワードを入力した場合のみ印刷を行う。
【０１２６】
図１９は、本発明の第５実施形態を示す画像処理装置におけるセキュア印刷指示画面のダイアログの一例を示す図であり、ＣＰＵ２００１の制御で操作部２０１２のＬＣＤ表示部２０１３に表示される。
【０１２７】
図１９において、１９０１がユーザＩＤ部で、操作部３０１２のキーを操作することであらかじめ割当てられているユーザＩＤを入力すると、その内容が表示される。１９０２はパスワード部で、操作部３０１２のキーを操作することであらかじめ割当てられているユーザＩＤを入力すると、その内容がマスク文字、例えば「＊＊＊」等で表示される。Ｂ１１はＯＫボタンで、認証指示と印刷指示とを兼ねている。Ｂ１２は取消ボタンで、セキュア印刷を取り消す場合に押下する。
【０１２８】
これにより、携帯機器から電子メールとしてセキュア印刷指示メールを送信するという簡単な構成で、取得するコンテンツの印刷指示と、セキュア印刷指示と同時に設定して、一時保存されているコンテンツに対してセキュア印刷処理を自在に行える。
【０１２９】
上記各実施形態によれば、ネットワーク上のコンピュータから、Ｗｅｂコンテンツの印刷指示やボックス保存指示などが容易に可能となる画像処理装置を提供することが可能となる。またその印刷の際には、コンテンツデータは前もって取得しレンダリングを行っておくことにより、印刷までの待ち時間も短縮できるという効果も得られる。
【０１３０】
〔第６実施形態〕
上記実施形態では、コンテンツを印刷する場合、複写機１００１のプリンタ２０９５を用いて全て印刷する場合について説明したが、コンテンツ中の画像のみとか、テキストのみとか、グラフィックスのみ、数ページ中の指定頁とかのように、出力すべき属性を電子メールで指定して、抽出されたものを選択的に印刷するように構成してもよい。
【０１３１】
また、印刷部数等が多い場合には、他の画像処理装置に分散出力するように、出力先を複数設定した電子メールを送信して、その出力先にコンテンツの出力を指示できるように制御してもよい。
【０１３２】
さらに、コンテンツの取得先も、１つではなく、複数同時に設定可能に構成してもよい。
【０１３３】
さらに、コンテンツがテキストの場合に複写機１００１のデフォルト設定に従う以外、その文字サイズや、書体を電子メールで設定できるように構成してもよい。
【０１３４】
また、取得したコンテンツをさらに、ネットワークを介して指定されたファクシミに送信したり、他のクライアントに送信するように、電子メールで設定可能に構成してもよい。
【０１３５】
さらに、携帯機器からネットワーク処理情報を受信する際に、複数の携帯機器から複数の要求を受信して、画像処理装置でそれぞれのコンテンツ処理を実行したのち、１枚の用紙に印刷できるように、あるいは１画像として表示可能に画像処理するように構成して、複数のコンテンツにより編集された画像を印刷したり、表示したり、さらには、編集された画像を要求元の携帯機器のそれぞれのユーザに通知して確認させたりするように構成してもよい。
【０１３６】
また、その他、携帯機器から複写機１００１に送信する電子メールの中にユーザを特定する情報を含ませ、複写機１００１側ではこのユーザ情報毎、あるいは電子メールのＦｒｏｍフィールド等の差出人毎に異なる設定を記憶しておき、これに従った処理を行うようにしてもよい。
【０１３７】
即ち、ユーザ毎にコンテンツ取得時の印刷設定を異ならせたり、またユーザ毎に取得したコンテンツを自動で印刷させるか、また印刷させずにメモリに保存しておくか、そして保存する場合は複数のメモリボックスのどこに保存させるかなどの設定をする。また、特定のユーザのみコンテンツの取得を許可したり、あるいはコンテンツの取得及び表示は許可するが印刷は禁止するなどの設定を行うようにしてもよい。
【０１３８】
また、このようにユーザ認証を行う場合、電子メール中にパスワードも記載させるのが好ましい。
【０１３９】
また、ユーザ情報に加えて特定のキーワードの記述も行わせるようにすれば、このキーワード毎に異なる設定を行わせることも可能となりより多彩な処理設定が可能となる。
【０１４０】
また、複写機１００１に電子メールを受信するためのメールアドレスを複数設定し、このメールアドレス毎に異なる処理を割り当てておき、どのメールアドレス宛てで電子メールを受信したかに応じて電子メール中に含まれるＵＲＬのコンテンツの処理を異ならせるようにしてもよい。
【０１４１】
また、ウェブ上のコンテンツを処理する際、ユーザ情報を含むｃｏｏｋｉｅを用いてその内容に応じてコンテンツを提供するサイトがあるが、これに対応すべく複写機１００１においてユーザ毎のｃｏｏｋｉｅを保存しておき、受信した電子メールからユーザを特定し、電子メール中のＵＲＬにアクセスする際、そのｃｏｏｋｉｅをやり取りすることによって当該ユーザに応じた形態のコンテンツを取得するようにしてもよい。
【０１４２】
また、携帯機器を持っているユーザが電子メールを送った際、複写機１００１から離れている場合もあるので、複写機１００１はコンテンツの取得が完了した時点、あるいは印刷が開始された場合や終了した場合にその旨をユーザに電子メールの返信などにより通知するようにしてもよい。このとき複写機１００１で何らかエラーが発生していた場合、その旨を通知するようにしてもよい。
【０１４３】
なお、各実施形態のうち、適宜組合せ可能なものは同時に実行させるように構成してもよい。
【０１４４】
〔第７実施形態〕
以下、図２０に示すメモリマップを参照して本発明に係る画像処理装置で読み取り可能なデータ処理プログラムの構成について説明する。
【０１４５】
図２０は、本発明に係る画像処理装置で読み取り可能な各種データ処理プログラムを格納する記憶媒体のメモリマップを説明する図である。
【０１４６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１４８】
本実施形態における図２，図８，図１０に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５０】
この場合、記憶媒体から読み出されたプログラムコード自体が本発明の新規な機能を実現することになり、そのプログラムコードを記憶した記憶媒体は本発明を構成することになる。
【０１５１】
従って、プログラムの機能を有していれば、オブジェクトコード、インタプリタにより実行されるプログラム、ＯＳに供給するスクリプトデータ等、プログラムの形態を問わない。
【０１５２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５３】
この場合、記憶媒体から読出されたプログラムコード自体が前述した実施形態の機能を実現することになり、そのプログラムコードを記憶した記憶媒体は本発明を構成することになる。
【０１５４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５８】
本発明は上記実施形態に限定されるものではなく、本発明の趣旨に基づき種々の変形（各実施形態の有機的な組合せを含む）が可能であり、それらを本発明の範囲から排除するものではない。
【０１５９】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜２４について説明する。
【０１６０】
〔実施態様１〕
ネットワークを介して所定のアクセス先に接続可能な画像処理装置であって、外部機器から前記ネットワークを介してコンテンツを取得するためのネットワークアクセス情報と、取得されるコンテンツの処理情報とを含む電子メールを受信する受信手段（図２に示すネットワークインタフェース２０１０、モデム２０５０）と、前記受信手段により受信される電子メールを解析して、前記コンテンツを取得する取得手段（図２に示すＨＤＤ２００４に記憶されるブラウザ）と、前記取得手段に取得される前記コンテンツに対して前記処理情報に基づいて、所定のデータ処理を行う処理手段（図２に示すＣＰＵ２００１によるＨＤＤ２００４へのコンテンツ登録処理等）とを有することを特徴とする画像処理装置。
【０１６１】
これにより、外部機器からのコンテンツ取得要求と、その処理要求とを兼ねるネットワーク処理情報を受け付けることで、画像処理装置のネットワーク接続環境の下で、任意のネットワーク接続先からユーザが意図するコンテンツを取得して処理できる利便性に優れた画像処理を行える。
【０１６２】
〔実施態様２〕
前記処理手段による前記所定のデータ処理は、前記処理情報に基づいて、前記コンテンツを表示部で表示可能な画像データを生成して表示させるコンテンツ表示処理、前記コンテンツを印刷部が印刷可能な印刷データに展開して記憶手段に登録するコンテンツ登録処理、前記記憶手段に登録されている印刷データを印刷部で印刷するコンテンツ印刷処理を含むことを特徴とする実施態様１記載の画像処理装置。
【０１６３】
これにより、外部機器からのコンテンツ取得要求と、その処理要求とを兼ねるネットワーク処理情報を受け付けることで、画像処理装置のネットワーク接続環境の下で、任意のネットワーク接続先からユーザが意図するコンテンツを取得してコンテンツ表示処理、コンテンツ登録処理、コンテンツ印刷処理等自在に行える。
【０１６４】
〔実施態様３〕
前記処理情報中のコンテンツの処理情報は、前記コンテンツを印刷部で印刷するための印刷処理情報を含むことを特徴とする実施態様１記載の画像処理装置。
【０１６５】
これにより、画像処理装置が取得したコンテンツに対して、ユーザが画像処理装置の操作部において、印刷設定を行う操作が不要となり、コンテンツ取得から画像処理までに必要な操作負担が軽減され、ユーザの利便性が向上する。
【０１６６】
〔実施態様４〕
前記印刷処理情報は、前記コンテンツを印刷部で印刷するための印刷出力設定処理情報、前記コンテンツを印刷部で指定時刻に印刷するための印刷時刻設定処理情報、データ登録処理で前記記憶手段に登録されているコンテンツを認証して印刷部で印刷するためのセキュア印刷設定処理情報を含むことを特徴とする実施態様１または３記載の画像処理装置。
【０１６７】
これにより、取得するコンテンツに対して操作部で操作すべき設定を外部機器からコンテンツ取得要求と同時に行え、ユーザの操作負担が軽減される。
【０１６８】
〔実施態様５〕
前記外部機器は、無線通信可能なリモート情報端末装置、ネットワーク機器を含むことを特徴とする実施態様１記載の画像処理装置。
【０１６９】
これにより、無線通信可能なリモート情報画像処理装置と外部機器とに専用のインタフェースを備えることなく、無線通信可能なリモート情報端末装置、ネットワーク機器を利用して画像処理装置に対して、コンテンツ取得要求とのその画像処理要求とを含むネットワーク処理情報を画像処理装置に送信することができる。
【０１７０】
〔実施態様６〕
前記コンテンツを表示部で表示可能な画像データを生成して表示させる場合に、前記表示部に表示される画像データに対して印刷部に設定すべき印刷条件を設定する設定手段を有することを特徴とする実施態様２記載の画像処理装置。
【０１７１】
これにより、コンテンツの取得要求とは別に、ユーザが直接画像処理装置側で意図する印刷条件を設定することができ、ユーザの要求に柔軟に対応することができる。
【０１７２】
〔実施態様７〕
前記コンテンツを印刷部が印刷可能な印刷データに展開して記憶手段に登録する場合に、展開された印刷データを所定の圧縮形式で圧縮処理を行うデータ圧縮手段を有することを特徴とする実施態様２記載の画像処理装置。
【０１７３】
これにより、コンテンツ登録処理により使用する記憶領域をできるだけ軽減して、多くのコンテンツを登録可能とするとともに、印刷時に短時間に効率よく印刷処理できる。
【０１７４】
〔実施態様８〕
前記処理手段は、前記受信手段で受信した電子メールの差出人に応じて異なる処理を行うことを特徴とする実施態様１に記載の画像処理装置。
【０１７５】
〔実施態様９〕
前記処理手段は、前記受信手段がどのメールアドレスに基づき電子メールを受信したかに応じて異なる処理を行うことを特徴とする請求項１に記載の画像処理装置。
【０１７６】
〔実施態様１０〕
さらに、前記処理手段による処理状況を示す電子メールを返信する手段を有することを特徴とする実施態様１に記載の画像処理装置。
【０１７７】
〔実施態様１１〕
ネットワークを介して所定のアクセス先に接続可能な画像処理装置と外部機器とが通信可能な画像処理システムであって、前記外部機器は、ネットワークを介してコンテンツを取得するためのネットワークアクセス情報と、該ネットワークアクセス情報に基づいて取得されるコンテンツの処理情報とを含む電子メールを前記通信回線を介して前記画像処理装置に送信する送信手段（図１に示すＰＤＡ１００９、携帯電話１０１０が備える通信機能等）を有し、前記画像処理装置は、外部機器から前記ネットワークを介してコンテンツを取得するためのネットワークアクセス情報と、取得されるコンテンツの処理情報とを含む電子メールを受信する受信手段（図２に示すネットワークインタフェース２０１０、モデム２０５０）と、前記受信手段により受信される電子メールを解析して、前記コンテンツを取得する取得手段（図２に示すＨＤＤ２００４に記憶されるブラウザ）と、前記取得手段に取得される前記コンテンツに対して前記処理情報に基づいて、所定のデータ処理を行う処理手段（図２に示すＣＰＵ２００１によるＨＤＤ２００４へのコンテンツ登録処理等）とを有することを特徴とする画像処理システム。
【０１７８】
これにより、実施態様１、９等と同等の効果を奏する。
【０１７９】
〔実施態様１２〕
ネットワークを介して所定のアクセス先に接続可能な画像処理装置におけるデータ処理方法であって、外部機器から前記ネットワークを介してコンテンツを取得するためのネットワークアクセス情報と、取得されるコンテンツの処理情報とを含む電子メールを受信する受信ステップ（図１０に示すステップＳ７０１〜Ｓ７０３）と、前記受信ステップにより受信される電子メールを解析して、前記コンテンツを取得する取得ステップ（図１１に示すステップＳ８０１、Ｓ８０２）と、前記取得ステップに取得される前記コンテンツに対して前記処理情報に基づいて、所定のデータ処理を行う処理ステップ（図１１に示すステップＳ８０５〜Ｓ８０９）とを有することを特徴とするデータ処理方法。
【０１８０】
これにより、実施態様１と同等の効果を奏する。
【０１８１】
〔実施態様１３〕
前記処理ステップによる前記所定のデータ処理は、前記ネットワーク処理情報に基づいて、前記コンテンツを表示部で表示可能な画像データを生成して表示させるコンテンツ表示処理、前記コンテンツを印刷部が印刷可能な印刷データに展開して記憶手段に登録するコンテンツ登録処理、前記記憶手段に登録されている印刷データを印刷部で印刷するコンテンツ印刷処理を含むことを特徴とする実施態様１２記載のデータ処理方法。
【０１８２】
これにより、実施態様２と同等の効果を奏する。
【０１８３】
〔実施態様１４〕
前記ネットワーク処理情報中のコンテンツの処理情報は、前記コンテンツを印刷部で印刷するための印刷処理情報を含むことを特徴とする実施態様１２記載のデータ処理方法。
【０１８４】
これにより、実施態様３と同等の効果を奏する。
【０１８５】
〔実施態様１５〕
前記印刷処理情報は、前記コンテンツを印刷部で印刷するための印刷出力設定処理情報、前記コンテンツを印刷部で指定時刻に印刷するための印刷時刻設定処理情報、データ登録処理で前記記憶手段に登録されているコンテンツを認証して印刷部で印刷するためのセキュア印刷設定処理情報を含むことを特徴とする実施態様１２または１４記載のデータ処理方法。
【０１８６】
これにより、実施態様４と同等の効果を奏する。
【０１８７】
〔実施態様１６〕
前記外部機器は、無線通信可能なリモート情報端末装置、ネットワーク機器を含むことを特徴とする実施態様１２記載のデータ処理方法。
【０１８８】
これにより、実施態様５と同等の効果を奏する。
【０１８９】
〔実施態様１７〕
前記コンテンツを表示部で表示可能な画像データを生成して表示させる場合に、前記表示部に表示される画像データに対して印刷部に設定すべき印刷条件を設定する設定ステップを有することを特徴とする実施態様１３記載のデータ処理方法。
【０１９０】
これにより、実施態様７と同等の効果を奏する。
【０１９１】
〔実施態様１８〕
前記コンテンツを印刷部が印刷可能な印刷データに展開して記憶手段に登録する場合に、展開された印刷データを所定の圧縮形式で圧縮処理を行うデータ圧縮ステップを有することを特徴とする実施態様１３記載のデータ処理方法。
【０１９２】
これにより、実施態様８と同等の効果を奏する。
【０１９３】
〔実施態様１９〕
前記処理ステップは、前記受信ステップで受信した電子メールの差出人に応じて異なる処理を行うことを特徴とする実施態様１２に記載のデータ処理方法。
【０１９４】
〔実施態様２０〕
前記処理ステップは、前記受信ステップがどのメールアドレスに基づき電子メールを受信したかに応じて異なる処理を行うことを特徴とする実施態様１２に記載のデータ処理方法。
【０１９５】
〔実施態様２１〕
さらに、前記処理ステップによる処理状況を示す電子メールを返信するステップを有することを特徴とする実施態様１２に記載のデータ処理方法。
【０１９６】
これにより、実施態様１１と同等の効果を奏する。
【０１９７】
〔実施態様２２〕
ネットワークを介して所定のアクセス先に接続可能な画像処理装置と外部機器とが通信可能な画像処理システムにおけるデータ処理方法であって、前記外部機器は、ネットワークを介してコンテンツを取得するためのネットワークアクセス情報と、該ネットワークアクセス情報に基づいて取得されるコンテンツの処理情報とを含む電子メールを前記通信回線を介して前記画像処理装置に送信する送信ステップ（図１に示すＰＤＡ１００９、携帯電話１０１０等が備える通信機能による通信処理ステップ）を有し、前記画像処理装置は、外部機器から前記ネットワークを介してコンテンツを取得するためのネットワークアクセス情報と、取得されるコンテンツの処理情報とを含む電子メールを受信する受信ステップ（図１０に示すステップＳ７０１〜Ｓ７０３）と、前記受信ステップにより受信される電子メールを解析して、前記コンテンツを取得する取得ステップ（図１１に示すステップＳ８０１〜Ｓ８０２）と、前記取得ステップに取得される前記コンテンツに対して前記処理情報に基づいて、所定のデータ処理を行う処理ステップ（図１１に示すステップＳ８０３〜Ｓ８０９）とを有することを特徴とするデータ処理方法。
【０１９８】
これにより、実施態様１２と同等の効果を奏する。
【０１９９】
〔実施態様２３〕
実施態様１２〜２２のいずれかに記載のデータ処理方法を実行させるためのプログラムを格納したことを特徴とするコンピュータが読み取り可能な記憶媒体。
【０２００】
これにより、実施態様１２〜２２と同等の効果を奏する。
【０２０１】
〔実施態様２４〕
実施態様１２〜２２のいずれかに記載のデータ処理方法を実行させることを特徴とするプログラム。
【０２０２】
これにより、実施態様１２〜２２と同等の効果を奏する。
【図面の簡単な説明】
【０２０３】
【図１】本発明の第１実施形態を示す画像処理装置を適用可能なネットワークシステムの一例を説明する図である。
【図２】図１に示した複写機の構成を説明するブロック図である。
【図３】図１に示した複写機のリーダ部およびプリンタ部のハードウェア構成を示す図である。
【図４】図２に示した操作部の構成を説明する平面図である。
【図５】図４に示した操作部のＬＣＤ表示部に表示される操作画面を示す図である。
【図６】図４に示した操作部のＬＣＤ表示部に表示される操作画面を示す図である。
【図７】図２に示したＨＤＤの論理的な使用方法を示す図である。
【図８】図２に示したＣＰＵで実行されるアプリケーションソフトウェアの構成を説明する図である。
【図９】図１に示したに示したクライアントコンピュータから複写機に送信される電子メールの一例を示す図である。
【図１０】本発明に係る画像処理装置における第１のデータ処理手順の一例を示すフローチャートである。
【図１１】本発明に係る画像処理装置における第２のデータ処理手順の一例を示すフローチャートである。
【図１２】図４に示した操作部のＬＣＤ表示部に表示されるダイアログの一例を示す図である。
【図１３】図４に示した操作部のＬＣＤ表示部に表示されるプリント設定画面の一例を示す図である。
【図１４】本発明の第２実施形態を示す携帯装置から設定可能な印刷指示メールの一例を示す図である。
【図１５】本発明の第３実施形態を示す携帯装置から設定可能な印刷指示メールの一例を示す図である。
【図１６】本発明の第４実施形態を示す携帯装置から設定可能な印刷指示メールの一例を示す図である。
【図１７】本発明に係る画像処理装置における第２のデータ処理手順の一例を示すフローチャートである。
【図１８】本発明の第５実施形態を示す携帯装置から設定可能な印刷指示メールの一例を示す図である。
【図１９】本発明の第５実施形態を示す画像処理装置におけるセキュア印刷指示画面のダイアログの一例を示す図である。
【図２０】本発明に係る画像処理装置で読み取り可能な各種データ処理プログラムを格納する記憶媒体のメモリマップを説明する図である。
【符号の説明】
【０２０４】
１００９  ＰＤＡ
１０１０  １０１０
２０００  コントローラユニット
２００１  ＣＰＵ
２００２  ＲＡＭ
２００３  ＲＯＭ
２００４  ハードディスク
２０１０  Ｎｅｔｗｏｒｋ  Ｉ／Ｆ
２０１１  ＬＡＮ
２０１２  操作部
２０２０  デバイスＩ／Ｆ
２０７０  スキャナ
２０９５  プリンタ
【図１】
2006323456.tif 000003
【図２】
2006323456.tif 000004
【図３】
2006323456.tif 000005
【図４】
2006323456.tif 000006
【図５】
2006323456.tif 000007
【図６】
2006323456.tif 000008
【図７】
2006323456.tif 000009
【図８】
2006323456.tif 000010
【図９】
2006323456.tif 000011
【図１０】
2006323456.tif 000012
【図１１】
2006323456.tif 000013
【図１２】
2006323456.tif 000014
【図１３】
2006323456.tif 000015
【図１４】
2006323456.tif 000016
【図１５】
2006323456.tif 000017
【図１６】
2006323456.tif 000018
【図１７】
2006323456.tif 000019
【図１８】
2006323456.tif 000020
【図１９】
2006323456.tif 000021
【図２０】
2006323456.tif 000022